(57)【要約】【課題】貯留槽の満水面より下方の比較的低所に濾過装置を設置する。【解決手段】濾過装置２０は、雨水貯留槽１１に雨水を供給するための雨水流入管１２に設けられる。貯留槽１１の満水面より下方に位置し雨水流入管１２の鉛直部を構成するか又は雨水流入管１２の下端に鉛直方向に接続され側部に開口部２１ａを有する鉛直管２１と、鉛直管２１に開口部２１ａを介して連通し開口部２１ａを覆うように鉛直管２１に水密に取付けられかつ内部に弁体２７を有するバルブ室２２と、鉛直管２１の開口部２１ａを臨む鉛直管２１の内部に取外し可能に取付けられたストレーナ２６とを備え、鉛直部内の水位が開口部２１ａを上回る状態で弁体２７がバルブ室２２を密閉しかつ鉛直部内の水位が開口部２１ａを下回る状態で開口部２１ａを介してストレーナ２６をバルブ室２２から取出し可能に構成される。【選択図】  図１
2005016044.tif 000002
【特許請求の範囲】
【請求項１】
雨水貯留槽（１１）に雨水を供給するための雨水流入管（１２）に設けられる流下雨水の濾過装置（２０）において、
前記貯留槽（１１）の満水面より下方に位置し前記雨水流入管（１２）の鉛直部を構成するか又は前記雨水流入管（１２）の下端に鉛直方向に接続され側部に開口部（２１ａ）を有する鉛直管（２１）と、
前記鉛直管（２１）に前記開口部（２１ａ）を介して連通し前記開口部（２１ａ）を覆うように前記鉛直管（２１）に水密に取付けられかつ内部に弁体（２７）を有するバルブ室（２２）と、
前記鉛直管（２１）の開口部（２１ａ）を臨む前記鉛直管（２１）の内部に取外し可能に取付けられたストレーナ（２６）とを備え、
前記鉛直部内の水位が前記開口部（２１ａ）を上回る状態で前記弁体（２７）が前記バルブ室（２２）を密閉しかつ前記鉛直部内の水位が前記開口部（２１ａ）を下回る状態で前記開口部（２１ａ）を介して前記ストレーナ（２６）を前記バルブ室（２２）から取出し可能に構成されたことを特徴とする流下雨水の濾過装置。
【請求項２】
弁体がボール弁（２７）であって、前記ボール弁（２７）の円孔付き弁座（２８）が前記鉛直管（２１）の開口部（２１ａ）より上方の前記バルブ室（２２）の内部を略水平に仕切るように前記バルブ室（２２）に設けられた請求項１記載の流下雨水の濾過装置。
【請求項３】
開口部（２１ａ）下端に相当する前記鉛直管（２１）の内部に略水平にリング（２３）が設けられ、ストレーナ（２６）が前記リング（２３）の中央孔（２３ｂ）を塞ぐように取付けられた請求項１又は２記載の流下雨水の濾過装置。
【請求項４】
リング（２３）の内周縁に突起（２３ａ）が形成され、前記突起（２３ａ）と鉛直管（２１）の周面との間に前記鉛直管（２１）の内周面に沿って流下する雨水を受けかつ受けた雨水をバルブ室（２２）内に導くようにリング状の凹溝が形成され、前記バルブ室（２２）の底部に前記バルブ室（２２）に流入した雨水を排出する排水バルブ（２４）が設けられた請求項１ないし３いずれか１項に記載の流下雨水の濾過装置。
【請求項５】
リング（２３）の内周縁に形成された突起（２３ａ）に有底円筒状のストレーナ（２６）の周縁部（２６ａ）が係止する請求項４記載の流下雨水の濾過装置。
【請求項６】
請求項１ないし５いずれか１項に記載された濾過装置（２０）と、
前記濾過装置（２０）の鉛直管（２１）の下端より上方に雨水取入口（１１ａ）を有する雨水貯留槽（１１ａ）と、
前記鉛直管（２１ａ）の下端に一端が接続され他端が前記雨水取入口（１１ａ）に接続された雨水案内管（１６）とを備え、
前記鉛直管（２１）の上端が前記雨水取入口（１１ａ）より上方に位置するように構成された雨水貯留装置。
【請求項７】
鉛直管（２１）及び雨水案内管（１６）の各内部に存在する雨水を外部に排出可能なドレンバルブ（３２）が前記鉛直管（２１）又は前記雨水案内管（１６）に設けられた請求項６記載の雨水貯留装置。
【請求項８】
鉛直管（２１）の下端又は雨水案内管（１６）に前記雨水案内管（１６）から鉛直管（２１）に向かう雨水流を防止するように構成された逆流防止弁（３１）が設けられた請求項６又は７記載の雨水貯留装置。
【発明の詳細な説明】
【０００１】
【発明の属する技術分野】
本発明は、建物の屋根又は屋上に落下して流下する雨水に混入する異物を除去する流下雨水の濾過装置及びこれを用いた雨水貯留装置に関するものである。
【０００２】
【従来の技術】
従来、雨水から砂や微細な塵埃を除去してこれを貯留し、有効利用することが行われている。そして雨水から砂や塵埃を除去する雨水の濾過装置が提案されている（例えば、特許文献１参照。）。この濾過装置は、外管とこの外管の中に設けられる内管とからなり、この外管には鉛直部が形成され、外管の上端は雨樋に接続される。外管の下端は下水道管渠に連通する集水桝に接続される。内管の上端の外周縁は上記鉛直部の内周面と所定の間隔をおいて配置される。内管の下端は雨水の貯留槽に接続される。外管の鉛直部の一部の内径が連続的に変化して形成され、内管の上部の位置を上下方向に移動して上記所定の間隔を調整可能に構成される。内管の上端近傍の外管には開口部が設けられ、この開口部には開口部を開閉可能な蓋が設けられる。
【０００３】
この濾過装置では、雨樋から流下する雨水は外管の鉛直部の内周面に付着したまま層状に流下する。降雨強度（ｍｍ／時）が下水道管渠及び河川の流下能力を越えない中小規模の降雨時には、鉛直部の内周面上を流下する雨水の層の厚みは内筒上端の外周縁と鉛直部の内周面との間隔より小さいため、外管のみに流下し集水桝を経由して下水道管渠に流れ、内管には流れない。
降雨強度が下水道管渠等の流下能力を越える大規模の降雨時には、鉛直部の内周面上を流下する雨水の層の厚みは上記間隔より大きくなるため、内管にも雨水が流下して雨水貯留槽に流入する。この結果、下水道管渠や河川の流下能力を越える降雨強度の時に限り雨樋からの雨水を貯留槽に分流でき、簡単な構造で既存の雨樋の僅かなスペースに設置でき、かつ雨樋から入込む砂や微細な塵埃を除去して貯留槽に雨水を導くようになっている。
【０００４】
【特許文献１】
特開昭６４−８３７３８号公報
【０００５】
【発明が解決しようとする課題】
しかし、上述した従来の雨水濾過装置を用いて分流された雨水を貯留槽に貯留する場合には、その濾過装置を貯留槽の満水面より上方に設けなければ分流された雨水が自重により貯留槽まで達しないので、その濾過装置は比較的高所に取付けなければならない不具合があった。そして濾過装置を高所に取付けると、その濾過装置の点検は脚立等の台を用いて行うことを必要とし、日常点検が比較的困難になる問題点があった。
本発明の目的は、貯留槽の満水面より下方の比較的低所に設置し得る流下雨水の濾過装置及びこれを用いた雨水貯留装置を提供することにある。
【０００６】
【課題を解決するための手段】
請求項１に係る発明は、雨水貯留槽１１に雨水を供給するための雨水流入管１２に設けられる流下雨水の濾過装置２０の改良である。
その特徴ある構成は、貯留槽１１の満水面より下方に位置し雨水流入管１２の鉛直部を構成するか又は雨水流入管１２の下端に鉛直方向に接続され側部に開口部２１ａを有する鉛直管２１と、鉛直管２１に開口部２１ａを介して連通し開口部２１ａを覆うように鉛直管２１に水密に取付けられかつ内部に弁体２７を有するバルブ室２２と、鉛直管２１の開口部２１ａを臨む鉛直管２１の内部に取外し可能に取付けられたストレーナ２６とを備え、鉛直部内の水位が開口部２１ａを上回る状態で弁体２７がバルブ室２２を密閉しかつ鉛直部内の水位が開口部２１ａを下回る状態で開口部２１ａを介してストレーナ２６をバルブ室２２から取出し可能に構成されたところにある。
【０００７】
この請求項１に係る流下雨水の濾過装置では、鉛直部内の水位が開口部２１ａを上回る状態で弁体２７がバルブ室２２を密閉するように構成したので、バルブ室２２を貯留槽１１の雨水取入口１１ａより下方に位置させても、雨水がバルブ室２２から漏れ出すことはなく、その雨水を貯留槽１１に流入させることができる。一方、ストレーナ２６には異物が堆積するけれども、開口部２１ａを介してストレーナ２６をバルブ室２２から取出し可能に構成するので、バルブ室２２を比較的低所の点検作業が容易な位置に設けることにより、そのストレーナの点検が容易になる。
【０００８】
請求項２に係る発明は、請求項１に係る発明であって、弁体がボール弁２７であって、ボール弁２７の円孔付き弁座２８が鉛直管２１の開口部２１ａより上方のバルブ室２２の内部を略水平に仕切るようにバルブ室２２に設けられた流下雨水の濾過装置である。
この請求項２に係る流下雨水の濾過装置では、鉛直部内の水位が開口部２１ａを上回る状態でボール弁２７が弁座２８に当接するので、バルブ室２２を確実に密閉させることができる。
請求項３に係る発明は、請求項１又は２に係る発明であって、開口部２１ａ下端に相当する鉛直管２１の内部に略水平にリング２３が設けられ、ストレーナ２６がリング２３の中央孔２３ｂを塞ぐように取付けられた流下雨水の濾過装置である。
この請求項３に係る流下雨水の濾過装置では、中央孔２３ｂを介してリング２３より下方の鉛直管２１に流入する雨水に混入する異物をストレーナ２６により除去することができる。
【０００９】
請求項４に係る発明は、請求項１ないし３いずれか１項に係る発明であって、リング２３の内周縁に突起２３ａが形成され、突起２３ａと鉛直管２１の周面との間に鉛直管２１の内周面に沿って流下する雨水を受けかつ受けた雨水をバルブ室２２内に導くようにリング状の凹溝が形成され、バルブ室２２の底部にバルブ室２２に流入した雨水を排出する排水バルブ２４が設けられた流下雨水の濾過装置である。
この請求項４に係る流下雨水の濾過装置では、雨が降り始めた際の初期雨水を凹溝で受けてバルブ室２２を介して排水バルブ２４から外部に排出させることができる。ここで、初期雨水には比較的多くの塵埃が含まれているため、その多くの塵埃がストレーナ２６に捕捉されることを防止して、ストレーナ２６の点検頻度を減少させることができる。
【００１０】
請求項５に係る発明は、請求項４に係る発明であって、リング２３の内周縁に形成された突起２３ａに有底円筒状のストレーナ２６の周縁部２６ａが係止する流下雨水の濾過装置である。
この請求項５に係る流下雨水の濾過装置では、ストレーナ２６を上方に持ち上げるだけの比較的簡単な作業でリング２３から取外すことができ、その点検作業を比較的容易にすることができる。
請求項６に係る発明は、請求項１ないし５いずれか１項に記載された濾過装置２０と、濾過装置２０の鉛直管２１の下端より上方に雨水取入口１１ａを有する雨水貯留槽１１ａと、鉛直管２１の下端に一端が接続され他端が雨水取入口１１ａに接続された雨水案内管１６とを備え、鉛直管２１の上端が雨水取入口１１ａより上方に位置するように構成された雨水貯留装置である。
この請求項６に係る雨水貯留装置では、濾過装置２０で濾過されて鉛直管２１及び雨水案内管１６の各内部に溜まった雨水は、その水位が上昇して雨水取入口１１ａに達することによりその取入口１１ａから貯留槽１１の内部に流入して貯留され、必要に応じて取出すことにより利用することができる。
【００１１】
請求項７に係る発明は、請求項６に係る発明であって、鉛直管２１及び雨水案内管１６の各内部に存在する雨水を外部に排出可能なドレンバルブ３２が鉛直管２１又は雨水案内管１６に設けられた雨水貯留装置である。
濾過装置２０のストレーナ２６の濾過作用及び塵埃がバルブ室２２に誘導されることにより大半の塵埃は除去されるものの、長期的にこの装置を使用すると、ストレーナ２６をわずかながら通過した異物が沈降して鉛直管２１及び雨水案内管１６の各内部に沈殿するおそれがある。このため、鉛直管２１及び雨水案内管１６の各内部は所定期間毎に洗浄する必要がある。この請求項７に係る雨水貯留装置では、ドレンバルブ３２を開放することにより鉛直管２１及び雨水案内管１６の各内部に水を流通させることができ、この内部に水を流通させることにより、鉛直管２１及び雨水案内管１６の各内部に沈殿した異物を外部に容易に排出させることができる。
【００１２】
請求項８に係る発明は、請求項６又は７に係る発明であって、鉛直管２１の下端又は雨水案内管１６に雨水案内管１６から鉛直管２１に向かう雨水流を防止するように構成された逆流防止弁３１が設けられた雨水貯留装置である。
この請求項８に係る雨水貯留装置では、鉛直管２１内部の水がなくなったとしても、雨水案内管１６から鉛直管２１に雨水が逆流しないので、雨水取入口１１ａを雨水貯留槽１１の低位置、例えば底の近くに取付けることが可能になり、その雨水取入口１１ａに他端が接続されて地表に表出する雨水案内管１６を短くして装置全体の美感を向上させることができる。
【００１３】
【発明の実施の形態】
次に本発明の実施の形態を図面に基づいて詳しく説明する。
図６に示すように、本発明の雨水貯留装置１０は、雨水を貯留するための雨水貯留槽１１と、その雨水貯留槽１１に雨水を供給するための雨水流入管１２と、その雨水流入管１２に設けられた流下雨水の濾過装置２０とを備える。図における雨水流入管１２は家屋１３の屋根１３ａの縁に設けられた雨樋１４に上端が接続された筒状物であり、家屋１３の屋根１３ａに落ちた雨が雨樋１４に流入して集められ、集められた雨水は雨樋１４から雨水流入管１２に進入してその雨水流入管１２の内部を流下するように構成される。濾過装置２０は雨水流入管１２に設けられ、濾過装置２０と貯留槽１１とは雨水案内管１６により接続される。
【００１４】
図１〜図３に示すように、濾過装置２０は鉛直管２１とバルブ室２２とにより構成される。この実施の形態における鉛直管２１は雨水流入管１２の下端に上端が接続され（図６）、貯留槽１１の満水面より下方の鉛直管２１の側部には開口部２１ａが形成される。開口部２１ａの下端に相当する鉛直管２１の内部には略水平にリング２３が設けられる。そのリング２３の内周縁には突起２３ａが上方に向けて形成され、突起２３ａと鉛直管２１の周面との間に鉛直管２１の内周面に沿って流下する雨水を受けるリング状の凹溝が形成される。
【００１５】
リング２３中央の中央孔２３ｂには、その中央孔２３ｂを塞ぐようにストレーナ２６が取付けられる。この実施の形態におけるストレーナ２６は金網を有底円筒状に成形したものであって、開口部２１ａはそのストレーナ２６が通過可能な大きさに形成される。有底円筒状のストレーナ２６の外径はリング２３の内周縁に形成された突起２３ａの内系よりわずかに小さくなるように形成され、ストレーナ２６の開口部周縁には突起２３ａの上端に載置可能なフランジ２６ａが形成され、そのフランジからなる周縁部２６ａが突起２３ａに係止するように構成される。そしてこのストレーナ２６は、有底筒部をリング２３の中央孔２３ｂに挿入することにより、鉛直管２１の開口部２１ａを臨む鉛直管２１の内部に取外し可能に取付けられる。
一方、バルブ室２２はその開口部２１ａを覆うように鉛直管２１に水密に取付けられ、その鉛直管２１に開口部２１ａを介して連通するように構成される。そして開口部２１ａの下端に相当する鉛直管２１の内部に凹溝を形成するリング２３が設けられ、リング状の凹溝は受けた雨水をバルブ室２２内に導くように形成される。そしてバルブ室２２の底部にはバルブ室２２に流入した雨水を排出する排水バルブ２４が設けられる。
【００１６】
図４及び図５に示すように、排水バルブ２４は、筒体２４ａとその筒体２４ａの中央孔２４ｂを遮断してかつ回転可能に設けられた回転弁２４ｃとを備える。回転弁２４ｃには中央孔２４ｂと同一の孔径の大径孔２４ｄと、その大径孔２４ｄより小径であってかつその大径孔２４ｄに直交する小径孔２４ｅとが形成される。そして排水バルブ２４の中央孔２４ｂの上部は金網２５で覆われる。この排水バルブ２４は、回転弁２４ｃを回転させて図４に示すように小径孔２４ｅの軸心を中央孔２４ｂの軸心に合致させることによりバルブ室２２に流入した雨水を僅かながら外部に排出させてその雨水をバルブ室２２に比較的長時間に渡って貯留させるとともに、回転弁２４ｃを回転させて図５に示すように大径孔２４ｄの軸心を中央孔２４ｂの軸心に合致させることにより、バルブ室２２内部の雨水をこの中央孔２４ｂ及び大径孔２４ｄを介して比較的速やかに外部に排出可能に構成される。
【００１７】
図１〜図３に戻って、バルブ室２２の内部には弁体２７が設けられる。この実施の形態における弁体２７は比重が１未満のボールからなる弁２７であって、このボール弁２７の円孔２８ａ付き弁座２８が鉛直管２１の開口部２１ａより上方のバルブ室２２の内部を略水平に仕切るようにバルブ室２２に設けられる。円孔２８ａの孔縁にはリング状のパッキン２９が嵌着され、鉛直部内の水位が開口部２１ａを上回る状態で弁体２７はその浮力により上昇して弁座２８に当接してバルブ室２２を密閉するように構成される。
【００１８】
一方、円孔２８ａはストレーナ２６が挿通可能な大きさに形成され、弁座２８上方のバルブ室２２にはこの弁座２８を覆うように蓋板２２ａが取外し可能に設けられる。そして、雨が止んでいる状態ではバルブ室２２内部の雨水が排水バルブ２４から外部に排出されることにより、ボール弁２７が図１の実線で示すように弁座２８から離れてバルブ室２２の内部で下降し、円孔２８ａを開放させる。従って、バルブ室２２から蓋板２２ａを取外して弁座２８を出現させると、円孔２８ａ及び開口部２１ａを介してストレーナ２６をバルブ室２２から取出し可能に構成される。
【００１９】
図６に示すように、雨水貯留槽１１の上部側壁には雨水取入口１１ａが形成され、その雨水取入口１１ａは濾過装置２０の鉛直管２１の下端より上方に形成される。鉛直管２１の上端は雨水取入口１１ａより上方に位置するように構成される。また、鉛直管２１の下端には雨水案内管１６の一端が接続され、雨水案内管１６の他端は雨水取入口１１ａに接続される。従って、鉛直管２１及び雨水案内管１６の各内部に雨水が溜まる事態が生じうるため、この鉛直管２１及び雨水案内管１６の各内部に存在する雨水を外部に排出可能なドレンバルブ３２が鉛直管２１の下端に設けられる。
【００２０】
次にこのように構成された雨水貯留装置の動作を説明する。
雨が家屋１３の屋根１３ａに降ると、雨はその屋根１３ａの傾斜に沿って流れて雨樋１４に流入して集められる。集められた雨水は雨樋１４から雨水流入管１２に進入してその雨水流入管１２の内部を流下し、濾過装置２０の鉛直管２１に達する。雨が降り始めた際の初期雨水は、その大部分が鉛直管２１の途中に設けられたリング２３の内周縁に形成された突起２３ａと鉛直管２１の周面との間に形成された凹溝により受けられ、バルブ室２２の内部に導かれる。ここで、初期雨水には比較的多くの塵埃が含まれているため、その多くの塵埃がストレーナ２６に捕捉されることを防止して、ストレーナ２６の点検頻度を減少させることができる。
【００２１】
ここで、排水バルブ２４における回転弁２４ｃの小径孔２４ｅを中央孔２４ｂの軸心に合致させておけば、雨が降り続いて雨水流入管１２の内部を流下する雨水の量は排水バルブ２４から外部に排出される量を超えて増加する。すると、バルブ室２２の内部に雨水が溜まり始め、バルブ室２２の水位がリング２３中央に設けられた突起２３ａの上端を越えると中央孔２３ｂを介して雨水がリング２３より下方の鉛直管２１に流入する。ここで、中央孔２３ｂにはその中央孔２３ｂを塞ぐようにストレーナ２６が取付けられているので、中央孔２３ｂを介してリング２３より下方の鉛直管２１に流入する雨水は、このストレーナ２６により混入する異物が除去される。
【００２２】
ここで、雨水貯留槽１１は雨水取入口１１ａが濾過装置２０の鉛直管２１の下端より上方に形成されるため、リング２３を通過した雨水は鉛直管２１及び雨水案内管１６の各内部に溜まる。そして、鉛直管２１及び雨水案内管１６の各内部に溜まった雨水の水位が上昇して雨水取入口１１ａに達して時点で雨水がその取入口１１ａから貯留槽１１の内部に流入して貯留される。貯留槽１１に貯留された雨水は蛇口１１ｂから必要に応じて取出して散水や洗車用水等として利用することができる。ここで、鉛直管２１の上端は雨水取入口１１ａより上方に位置するので、雨水が貯留槽に流入せずに鉛直管２１の上端から外部に排出されるような事態は回避される。
【００２３】
一方、雨水流入管１２の内部を流下する雨水の量が増加すると、バルブ室２２の内部に雨水が溜まってその水位が上昇し、バルブ室２２の内部で弁体２７が浮上する。バルブ室２２の水位が上昇するとボール弁２７はその浮力により上昇して弁座２８に当接してバルブ室２２を密閉する。従って、バルブ室２２を貯留槽１１の雨水取入口１１ａより下方に位置させても、雨水が貯留槽に流入せずにこのバルブ室２２における弁座２７の円孔２７ａから外部に排出されるような事態は回避される。
【００２４】
ここで、濾過装置２０のストレーナ２６には除去した異物が堆積する。このため、所定期間毎にこのストレーナを取出して洗浄する必要がある。このストレーナの取出しに際しては、雨の降っていないときにバルブ室２２から蓋板２２ａを取外して弁座２８を出現させる。そして、ボール弁２７が図１の実線で示すように弁座２８から離れてバルブ室２２の内部で下降し、円孔２８ａが開放されていたならば、この円孔２８ａ及び開口部２１ａを介してストレーナ２６をバルブ室２２から取出す。一方、雨の降った直後であって、蓋板２２ａを取外した段階でボール弁２７が円孔２８ａを塞いでいたならば、排水バルブ２４の回転弁２４ｃを回転させて図５に示すように大径孔２４ｄの軸心を中央孔２４ｂの軸心に合致させる。そして、バルブ室２２内部の雨水を速やかに外部に排出させて円孔２８ａを開放させ、この円孔２８ａ及び開口部２１ａを介してストレーナ２６をバルブ室２２から取出す。ここで、有底円筒状のストレーナ２６の外径はリング２３の内周縁に形成された突起２３ａの内系よりわずかに小さくなるように形成され、ストレーナ２６の開口部周縁には突起２３ａの上端に載置可能なフランジが形成されるため、ストレーナ２６は有底筒部を中央孔２３ｂから離脱するように上方に持ち上げることによりそのリング２３から取外すことができる。
【００２５】
なお、上述した実施の形態では、上部側壁に雨水取入口１１ａが形成された雨水貯留槽１１を用いた雨水貯留装置を説明したが、図７に示すように、雨水取入口１１ａは雨水貯留槽１１の下部側壁に形成してもよい。但し、図７に示すような場合には雨水貯留槽１１の内部における雨水の水位が鉛直管２１の開口部２１ａより高い時には、雨水が雨水取入口１１ａから雨水案内管１６に逆流することになる。これを防止するために、鉛直管２１の下端又は雨水案内管１６に雨水案内管１６から鉛直管２１に向かう雨水流を防止するように構成された逆流防止弁３１を設ける。図７に示す逆流防止弁３１は中央に丸孔３１ｂが形成された弁座３１ａと、弁座３１ａより下方に設けられ丸孔３１ｂを封止可能なボール弁３１ｃとを備え、ボール弁３１ｃが丸孔３１ｂを封止することにより雨水案内管１６から鉛直管２１に向かう雨水流を防止するように構成される。このように逆流防止弁３１を設ければ、鉛直管２１内部の水がなくなったとしても、雨水案内管１６から鉛直管２１に雨水が逆流しないので、雨水取入口１１ａを雨水貯留槽１１の低位置、例えば底の近くに取付けることが可能になる。そして雨水取入口１１ａを雨水貯留槽１１の低位置にすれば、その雨水取入口１１ａに他端が接続されて地表に表出する雨水案内管１６を短くすることができ、この雨水案内管１６が比較的長く視認されることを防止して装置全体の美感を向上させることができる。
【００２６】
また、上述した実施の形態では、雨水流入管１２の下端に鉛直管２１が鉛直方向に接続された場合を説明したが、鉛直管２１が雨水流入管１２の鉛直部を成するようにしても良い。鉛直管２１が雨水流入管１２の鉛直部を構成するようにすれば、雨水流入管１２を鉛直管２１が兼ねるようになり、独立した雨水流入管１２をなくして部品点数を減少させることができる。
更に、上述した実施の形態では、弁体がボール弁２７である場合を説明したが、弁体はフラップ弁等であっても良い。
【００２７】
【発明の効果】
以上述べたように、本発明によれば、濾過装置が鉛直管とバルブ室と鉛直管の開口部を臨む鉛直管の内部に取外し可能に取付けられたストレーナとを備え、水位が開口部を上回る状態で弁体がバルブ室を密閉可能に構成したので、バルブ室を貯留槽の雨水取入口より下方に位置させても、雨水がバルブ室から漏れ出すことはなく、その雨水を貯留槽に流入させることができる。一方、ストレーナには異物が堆積するけれども、開口部を介してストレーナをバルブ室から取出し可能に構成するので、バルブ室を比較的低所の点検作業が容易な位置に設けることにより、そのストレーナの点検を容易に行うことができる。この場合、弁体がボール弁であって、弁座を鉛直管の開口部より上方のバルブ室の内部を略水平に仕切るようにバルブ室に設ければ、バルブ室を確実に密閉することができ、リングの中央孔を塞ぐようにストレーナを取付ければ、雨水に混入する異物をそのストレーナにより除去することができる。
【００２８】
また、このような濾過装置と、濾過装置の鉛直管の下端より上方に雨水取入口を有する雨水貯留槽と、鉛直管の下端に一端が接続され他端が雨水取入口に接続された雨水案内管とを備え、鉛直管の上端が雨水取入口より上方に位置するように構成された雨水貯留装置では、濾過装置で濾過されて鉛直管及び雨水案内管の各内部に溜まった雨水は、その水位が上昇して雨水取入口に達することによりその取入口から貯留槽の内部に流入して貯留され、必要に応じて取出すことにより利用することができる。
【図面の簡単な説明】
【図１】本発明の濾過装置を示す図３のＡ−Ａ線断面図。
【図２】その濾過装置の開口部の形状を示す図３に示すＢ−Ｂ線断面図。
【図３】図６に示す雨水貯留装置に用いられた濾過装置のＣ−Ｃ線断面図。
【図４】小径孔が中央孔の軸心に合致する排水バルブを示す図１のＤ−Ｄ線断面図。
【図５】大径孔が中央孔の軸心に合致する排水バルブを示す図４に対応する断面図。
【図６】その濾過装置を用いた雨水貯留装置の構成図。
【図７】その濾過装置を用いた別の雨水貯留装置の構成図。
【符号の説明】
１０  雨水貯留装置
１１  雨水貯留槽
１１ａ  雨水取入口
１２  雨水流入管
１６  雨水案内管
２０  濾過装置
２１  鉛直管
２１ａ  開口部
２２  バルブ室
２３  リング
２３ａ  突起
２３ｂ  円孔
２４  排水バルブ
２６  ストレーナ
２６ａ  周縁部
２７  ボール弁（弁体）
２８  弁座
３１  逆流防止弁
３２  ドレンバルブ
【図１】
2005016044.tif 000003
【図２】
2005016044.tif 000004
【図３】
2005016044.tif 000005
【図４】
2005016044.tif 000006
【図５】
2005016044.tif 000007
【図６】
2005016044.tif 000008
【図７】
2005016044.tif 000009